Podtech/llm-jp-corpus-v4-ja_patent huggingface dataset:
(57)【要約】【課題】人体の足部、母趾の変形矯正治療及び痛みの緩和、予防を目的に使用する外反母趾用趾間装具は、外見から目立たぬ、小型化と、装着の煩雑さを解決し、ワンタッチ装着を可能とし、面倒な昼用、夜用の使い分けを無くし、昼夜連続して、快適な装着感で、幼児から成人が使用できる、外反母趾用趾間装具を提供することを課題とした。【解決手段】母趾及び、第５趾に装着する趾間部は過敏の為、長時間の装着を不快に感じない様、主体部１の表面は皮膚に刺激の無い柔軟性素材を使用し、内部は軟質スポンジを内蔵させ、主体部１と輪状帯２を一体化として形成し、外見から目立たぬ小型化を実現した。又、装着の煩雑さの解決にはワンタッチ装着が可能な輪状型式とし、１回の操作で、着、脱を可能とした。又、主体部１の装着方法を単体帯３ａ・３ｂ単体広巾帯５、成形一体型輪状帯７を設けて構成した。【選択図】図１
2007244786.tif 000002
【特許請求の範囲】
【請求項１】
該装具は柔軟性、伸縮性素材により、円筒状の軟質スポンジを内蔵した主体部１と、その両端部から輪状帯２からで形成し、人体の足部の母趾の外反変形に対し主体部１母趾と第２趾及び第４趾と第５趾の趾間に挟み込み、輪状帯２を、母趾及び第５趾に装着し外反変形から起こる痛みの緩和、及び矯正、予防を特徴とする外反母趾用趾間装具。
【請求項２】
前記、主体部１の両端から、それぞれ独立した単体帯３ａと３ｂは表面側を全面に渡って、パイル織りした生地で形成し、面状ファスナー４を介して、母趾及び、第５趾のサイズに合う位置に連結することを特徴とする、請求項１の外反母趾用趾間装具。
【請求項３】
前記、主体部１から単体広巾帯５の表面側を全面に渡って、パイル織りした、生地で形成し、母趾及び第５趾に装着時主体部１を単体広巾帯５で包みながら巻き付け、面状ファスナーで止め、固定することを、特徴とした請求項１の外反母趾用趾間装具。
【請求項４】
前記、主体部１及び輪状帯２を、シリコンゴム素材により、一体型の射出成型品とした特徴を持つ請求項１の外反母趾用趾間装具。
【発明の詳細な説明】
【技術分野】
【０００１】
本発明は整形外科用の装具療法の技術分野に属し、詳しくは人体の足部の変形矯正療法及び、痛みの緩和、予防を目的に使用する、外反母趾用趾間装具に関するものである。
【背景技術】
【０００２】
外反母趾に使用される整形外科用の装具は、昼用、夜用、昼夜用に製品化され、使用素材は、硬質性のものが一般的に、実用されている。（例えば、非特許文献１参照）
【０００３】
しかし、従来の外反母趾用装具は、昼用、夜用、昼夜用と使い分けの面倒さと、その目的は、外反の矯正のみに重点をおいた硬質素材の製品が多く、使用中の快適性にかけている。又、最も大きな欠点は、圧倒的に女性に多い為、装着が煩雑で、装具が大げさで、かさばり、外見が悪いものが多く、大型化の為、靴の着用困難などがあり心理的に中途で使用をやめてしまう欠点があった。
【０００４】
【非特許文献１】「装具療法モデルと適用のすべて１７」（株）メジカルビュー  出版  Ｐ１６８
【発明の開示】
【発明が解決しようとする課題】
【０００５】
そこで解決しようとする課題は、装着する側から望まれる装具の条件として、使用中の快適性、簡単な装着方法、外見から目立たず、日常生活に支障無く使用できる、小型化の外反母趾用趾間装具を提供することを課題とした。
【課題を解決するための手段】
【０００６】
本発明の外反母趾用趾間装具は、昼用、夜用の使い分けの必要が無く、趾間部への刺激、違和感、過度の圧迫感の無い、柔軟性素材を使用し、快適な装着感を実現させ、昼夜連続して使用可能とし、さらに着脱操作が容易で、かつ使用状態が外見から見ても、目立たぬ小型化の形状を実現させた。
【発明の効果】
【０００７】
本発明は、母趾関節の拘縮と、趾間の過度の圧迫を除去するとともに、特に歩行時、過大な荷重がかかり、痛みを引き起こす原因となる為、外反した母趾を正常位置に戻す事により、痛みの緩和・予防効果及び、変形の改善効果を発揮するものである。
【発明を実施するための最良の形態】
【０００８】
本発明の実施形態を図１〜図５によって説明する。本発明は足部母趾に発生する変形に対し、母趾及び第５趾に装着を目的とした、図１軟質スポンジ内蔵の主体部１とこれを、母趾及び第５趾に装着する為の輪状帯２、単体帯３ａ・３ｂ面状ファスナー４単体広巾帯５形成一体型輪状帯７で構成され、図１，２，３，４の形状の使用しやすい、小型の簡易装具が実現した。
【０００９】
図１の主体部１は母趾と第２趾及び第４趾と第５趾の趾間に挟み込む主体であり、輪状帯２は母趾及び第５趾に装着する為の帯である。
【００１０】
図２の主体部１も、母趾と第２趾及び第４趾と第５趾の趾間に挟み込む主体であり、単体帯３ａと３ｂを母趾及び第５趾に巻き付け、面状ファスナーで止め、連結する帯である。
【００１１】
図３の主体部１も母趾と第２趾及び第４趾と第５趾の母趾の趾間に挟み込む主体であり、単体広巾帯５は、主体を包み込みながら、母趾及び第５趾に巻き付け、面状ファスナー４で止め、固定する帯である。
【００１２】
図４の主体部１も母趾と第２趾及び第４趾と第５趾の趾間に挟み込む主体であり、輪状部は母趾及び第５趾に装着する為の輪である。  
【実施例１】
【００１３】
図５は母趾及び第５趾に装着を示した、実施例の平面図である。  
【産業上の利用可能性】
【００１４】
本発明の小型化の実現により、幼児期の外反趾、成人の外反母趾への適用と、母趾に力が入らず、歩行が不自由な機能障害や胼胝防止の用途への適用が可能となる。
【図面の簡単な説明】
【００１５】
【図１】本発明の外反母趾用趾間装具の実施形態の一例を示す正面図。
【図２】本発明の外反母趾用趾間装具の別の実施形態の一例を示す正面図。
【図３】本発明の外反母趾用趾間装具の別の実施形態の一例を示す正面図。
【図４】本発明の外反母趾用一体型趾間装具の別の実施形態の一例を示す正面図。
【図５】本発明の装着状態を示す説明図。
【符号の説明】
【００１６】
１    主体部
２    輪状帯
３ａ  単体帯
３ｂ  単体帯
４    面状ファスナー
５    単体広巾帯
６    形成一体型主体部
７    成形一体型輪状帯
【図１】
2007244786.tif 000003
【図２】
2007244786.tif 000004
【図３】
2007244786.tif 000005
【図４】
2007244786.tif 000006
【図５】
2007244786.tif 000007
(57)【要約】【課題】コンターシートの中央部に、患者の臀部を載せるのに適した窪みが設けてある歯科治療用椅子においては、患者が横方向から腰掛ける場合、該窪み部の両側にあるサイドサポート部（盛り上り部）が邪魔になり、スムーズに中央の窪み部に着座することが困難であった。【解決手段】コンターシート１３の中央部に患者の臀部を載せるための窪み２０を有する歯科治療用椅子１０において、前記窪み２０は前記コンターシート１３の側端まで該窪み部２０の高さと同一の高さで延長している。そのため、患者が横方向から容易に腰掛けることができる。【選択図】図１
2007244751.tif 000002
【特許請求の範囲】
【請求項１】
コンターシートの中央部に患者の臀部を載せるための窪みを有する歯科治療用椅子において、前記窪みは前記コンターシートの側端まで延長していることを特徴とする歯科治療用椅子。
【発明の詳細な説明】
【技術分野】
【０００１】
本発明は、歯科治療用椅子、より詳細には、コンターシートの形状を患者が歯科治療用椅子に横方向から腰掛ける際に腰掛けやすい形状にした歯科治療用椅子に関する。
【背景技術】
【０００２】
図３は、本発明が適用される歯科治療用椅子の一例を説明するための要部概略構成図で、図中、１０は歯科治療用椅子、１１は安頭台、１２はバックレスト、１３はコンターシート、１４はレッグシート、１５はフットレスト（フットステップ）、１６は基台で、周知のように、常時は、起状態にあり、この状態で、患者は、フットステップ１５の上に乗って、その後、コンターシート１３に腰掛ける。その後、術者（ドクター）は、椅子を倒状態（寝状態）にして治療を行い、或いは、起状態にするとともに、椅子を上昇させて患者がうがいしやすいようにする等、椅子１０を起、或いは、倒状態にして歯科治療を行う。
【０００３】
上述のごとき歯科治療用椅子においては、患者は、フットステップ１５の上に乗って、その後、コンターシート１３に腰掛けるようにしており、老人や肢体不自由の患者は、狭いフットステップの上に乗ってから腰掛けなければならず、歯科治療用椅子への乗降が大変であった。そのため、患者によっては、最初に、コンターシート１３上に横方向から臀部を載せ、その後に、足をフットステップ１５の上に移動させて載せる等の方法をとっていた。
【０００４】
図４は、本発明が適用される他の歯科治療用椅子の例を示す要部概略構成図で、この歯科治療用椅子１０は、図３に示した歯科治療用椅子１０のレッグレスト１４及びフットステップ１５がコンターシート１３と一体的に形成されたもので、コンターシート１３に図３に示した歯科治療用椅子のコンターシート１３に設けられた窪み２０と同様の窪み２０が設けられているものであり、この歯科治療用椅子においては、患者は、前方からは腰掛けることができず、必然的に、横方向からコンターシート１３に臀部を載せ、その後、両足をコンターシート１３の延長部に載せるようにしている。
【発明の開示】
【発明が解決しようとする課題】
【０００５】
上述のように、歯科治療用椅子に、患者が横方向から腰掛ける場合、コンターシート部に、患者の臀部を載せるのに適した窪み２０が設けてある歯科治療用椅子においては、該窪み部２０の両側にあるサイドサポート部（盛り上り部）２１Ｒ，２１Ｌが邪魔になり、スムーズに中央の窪み部２０に着座することが困難であった。
【０００６】
本発明は、上述のごとき実情に鑑みてなされたもので、特に、図３及び図４に示した歯科治療用椅子におけるサイドサポート部をなくし、患者が横方向から容易に腰掛けることができるようにした歯科治療用椅子を提供することを目的としてなされたものである。
【課題を解決するための手段】
【０００７】
本発明は、コンターシートの中央部に患者の臀部を載せるための窪みを有する歯科治療用椅子において、前記窪みが前記コンターシートの側端まで延長していることを特徴としたものである。
【発明の効果】
【０００８】
本発明によると、コンターシートの中央部に患者の臀部を載せるための窪みがある歯科治療用椅子において、前記窪みの両側にあるサイドサポート部（盛り上り部）をなくしたので、患者が歯科治療用椅子に横方向から腰掛ける際、前記サイドサポート部が邪魔になったり、サイドサポート部に臀部を降して不安定になったりするようなことがなく、患者は容易に歯科治療用椅子に腰掛けることができる。
【発明を実施するための最良の形態】
【０００９】
図１は、本発明による歯科治療用椅子の一実施例を説明するための要部構成図で、図１（Ａ）は要部側面図、図１（Ｂ）は斜め前方から見た斜視図を示し、図中、図３に示した歯科治療用椅子と同様の作用をする部分には、図３の場合と同一の参照番号が付してある。この歯科治療用椅子１０においては、図３に示したサイドサポート部（盛り上り部）２１Ｒ，２１Ｌがなく、このサイドサポート部に相当する部分が、患者の臀部を載せる窪み部２０と同一の高さで横方向に連通しており、これによって、患者は臀部を横方向から容易にコンターシート部に載せることができる。コンターシート部に臀部を載せた後は、両足をそろえて前方に移動する。
【００１０】
図２に示した例は、図４に示した歯科治療用椅子に本発明を適用した場合の実施例を説明するための要部構成図で、図２（Ａ）は要部側面図、図２（Ｂ）は斜め前方から見た斜視図で、図４に示した従来の歯科治療用椅子と同様の作用をする部分には、図４の場合と同一の参照番号が付してある。
【００１１】
図２に示した実施例においても、患者の臀部を載せる中央窪み部２０を有するコンターシート１３には、図４に示したサイドサポート部２１Ｒ，２１Ｌはなく、このサイドサポート部２１Ｒ，２１Ｌに相当する箇所は、図１に示した実施例と同様、中央の窪み部２０に該窪み部２０と同じレベルで連通しており、これによって、患者は、歯科治療用椅子のコンターシート部に横方向から容易に腰掛けることができる。
【図面の簡単な説明】
【００１２】
【図１】図３に示した従来の歯科治療用椅子に本発明を適用した場合の一実施例を説明するための要部構成図である。
【図２】図４に示した従来の歯科治療用椅子に本発明を適用した場合の一実施例を説明するための要部構成図である。
【図３】本発明が適用される従来歯科治療用椅子の一例を説明するための要部概略構成図である。
【図４】本発明が適用される従来の歯科治療用椅子の例を示す要部概略構成図である。
【符号の説明】
【００１３】
１０…歯科治療用椅子、１３…コンターシート、１４…レッグレスト、２０…窪み部、２１Ｒ，２１Ｌ…サイドサポート部。
【図１】
2007244751.tif 000003
【図２】
2007244751.tif 000004
【図３】
2007244751.tif 000005
【図４】
2007244751.tif 000006
(57)【要約】【課題】ヒートアイランド対策としての有効なシステムを提供する。また、アスベストなどの断熱建材の低減を可能とする。【解決手段】保水性に富み固形化された植生基盤3を敷設し、植栽するとともに、植生基盤に設置された温度計5および含水率計6による計測結果を基に水分供給制御演算装置9により基盤への水分供給量を決定し、基盤上部あるいは内部に設けられた配管7の散水孔やノズル8から水分を供給し、同基盤からの水分蒸発を促すシステムを提供する。【選択図】      図１
2007244323.tif 000002
【特許請求の範囲】
【請求項１】
保水性に富み固形化された植生基盤と、温度計あるいは含水率計またはその両者と、供給水量制御演算システムと、散水用配管とで構成され事を特徴とする植栽基盤用水分供給システム。
【発明の詳細な説明】
【技術分野】
【０００１】
本発明は、主としヒートアイランド対策を念頭においたものであり  植栽のために敷設した植生基盤並びに植栽された植物による建物あるいは大気環境の冷却技術に関するものである。
【背景技術】
【０００２】
日本の都市の気温はここ100年間に中小都市で1℃大都市で2.5℃上昇しており、この上昇傾向は今後も継続すると予想されている。大都市での著しい高温化はヒートアイランド現象と呼ばれ都市部環境上の大きな問題となっている。植栽すなわち緑化は、太陽からの熱の地表あるいは建物への侵入を防ぎ、同時に植物から発散する水分の気化が冷却効果をもたらすため、ヒートアイランド現象の対策の有力な一手法と考えられている。都市部での舗装部分や建物などの植栽・緑化のためには、軽量かつ飛散しにくい土壌の提供が必要であり、ある程度固形化された板状の植生基盤が土壌として適している。
【０００３】
さらに、アスベストが中皮腫の原因になることが明らかにされ、アスベストに代わる建築物の保温あるいは断熱方法が課題となっている。屋上に敷設された植生基盤および植栽による冷却効果が屋上の断熱材を低減アスベスト材の代替効果をもたらすことも期待される。
【発明の開示】
【発明が解決しようとする課題】
【０００４】
緑化による大気環境の冷却効果は次のように説明される。すなわち、植物が太陽光を反射すること、植物の成長過程においては太陽熱をエネルギーとして消費すること、さらに、主として葉の部分からの水分蒸発が気化熱を奪うこと。しかし、緑化による大気冷却効果を論じる時に、土壌そのものからの水分蒸発による気化熱消費の効果ついてはほとんど考慮されていない。
【課題を解決するための手段】
【０００５】
本発明は、保水性に富み固形化された植生基盤を敷設し、植栽するとともに、植生基盤に設置された温度計および含水率計による計測結果を基に基盤への水分供給量を決定し、基盤上部あるいは内部に設けられた配管の散水孔やノズルから水分を供給し、同基盤からの水分蒸発を促すシステムを提供するものである。
【発明の効果】
【０００６】
植生基盤からの水分の蒸発は、気化熱を奪い大気を冷却しヒートアイランド対策に資する。本発明を屋上など建物に適用した場合は、建物外壁の断熱および冷却効果を高めることができ、アスベストなどの断熱材の低減を可能とする。
【実施例１】
【０００７】
図1は、その１実施例の模式図である。図１（a）に示すように、建物1の屋上2に植生基盤3が敷設されている。本実施例で示す植生基盤3は、杉の間伐材を粉砕後多くの空間を有する状態で板状に固めることにより保水効果を高めているが、粒上のものや繊維状のものなど保水効果があれば必ずしも植生基盤の種類は問わない。後述するように、植生基盤の敷設だけでも冷却効果や断熱効果が期待できるが、同基盤に、芝、あるいは草花や樹木などの植物4を植栽すれば、植物の成長によるエネルギー消費および植物からの水分蒸発が加わるのでその冷却効果は大きくなる。図１（b）は、図１（a）の植生基盤部を拡大したものである。植生基盤3の１箇所または数箇所に温度計5および含水率計6が設置されている。また、水分を供給するための配管7が植生基盤3の上側または内部に設けられている。配管には、図１（c）に示すように適当な間隔で散水孔またはノズル8が設けられており、図１(d)に示す演算装置9にて処理され温度変化や含水率変化に応じた水分の供給量が決定される。水分の供給量の決定は必ずしもコンピューターによる自動演算によるものでなくてもよく、人間が判断しても良い。決定された水分供給量に応じ自動的にあるいは人為的に配管に設けられた弁10の開閉などにより水量調整あるいは水圧調整が行われる。供給された水は、植生基盤3の上面あるいは内部に設けられた配管7の散水孔あるいはノズル8より植生基盤3に供給される。必要に応じ直接植物4にも散水する。
図２は、本発明の効果を示す。植生基盤に水分を与え同基盤より50cm上部で大気温度を測定した結果を、基盤の含水率11とその気化熱により冷却された大気の温度低下量12の関係で示している。これより、適切に水分を供給し水分の蒸発を促し続ければ大きな冷却効果となることがわかる。
【０００８】
実施例では、屋上緑化について述べたが、屋上ばかりでなく地上でも堤防や道路側面の傾斜地でも植生基盤が敷設されるところなら有効に機能する。ヒートアイランド対策として極めて有効であるばかりでなく、一般的な温暖化対策としても充分機能する。
本発明を建物に適用する場合は、建物を直接冷却する効果が期待でき、特に夏季高温期では建物外壁の断熱材の削減が期待できる。したがって、有害物質であることが明らかとなったアスベスト断熱材の削減を可能とすることができる。
【図面の簡単な説明】
【０００９】
【図１】は本発明の１実施例を示した説明図である。
【図２】本発明の効果を示した図である。
【符号の説明】
【００１０】
1  建物
2  屋上
3  植生基盤
4  植物
5  温度計
6  含水率計
7  配管
8  散水孔またはノズル
9  水分供給制御演算装置
10
弁
11
含水率
12
大気の温度低下量
【図１】
2007244323.tif 000003
【図２】
2007244323.tif 000004
(57)【要約】【課題】      ペットにおける散歩時の、ふん・尿（マーキング）の処理をひとつの道具で容易にできることにより、ふん公害・尿（マーキング）公害から生活環境を守ることを課題とする。【解決手段】  処理袋内部に、吸着シートを有することにより、尿（マーキング）の安定処理及びふんの処理も、ひとつの道具で処理できることにより、この課題を解決する。【選択図】図３
2007244360.tif 000002
【特許請求の範囲】
【請求項１】
袋取付部の形を、Ｕ字型とする特徴である。
【請求項２】
袋留めクリップと締めひも固定用のフックを有し、袋留めクリップが手元レバーの操作で開閉できることを特徴とする。
【請求項３】
吸着シートを有することを特徴とする袋である。
【請求項４】
締めひも（クロス・二重）を有することを特徴とする袋である。
【請求項５】
グリップにリード用フックを有することを特徴とする。
【発明の詳細な説明】
【技術分野】
【０００１】  本発明は、散歩時のふん・尿（マーキング）処理具に関するもので、ひとつの道具により、ふん・尿（マーキング）の両方が処理でき、後始末が簡単にできるようにした。
【背景技術】
【０００２】  従来の処理具は、ビニール袋のみの処理袋で、ふん専用の処理具として利用されている。
【特許文献１】  わからない。
【非特許文献１】  専用具にビニール袋を取り付けて、ふん専用として利用されてるものはある。
【発明の開示】
【発明が解決しようとする課題】
【０００３】  ペットのふん公害は、一般に認識されつつある。しかし、尿（マーキング）については、痕跡が固形として残らない為、まだまだ認識不足である。
そこで、ふん同様に尿（マーキング）が簡単に処理できることを課題とする。
【課題を解決するため手段】
【０００４】  この課題を解決するための請求項１の発明は、ふん・尿（マーキング）処理袋が容易に着脱できるようにした。
【０００５】  請求項２は、ふん・尿（マーキング）処理袋の（９）と締めひも（６ａ）をクリップ（２）によりはさみ、ふん・尿（マーキング）処理袋がずれないように固定し、締めひも固定フック（７）に締めひも（６ｂ）を取付、散歩終了時にフック開閉ノブ（１０）を引いて、フック（２）を開にし、締めひも（６ｂ）を引いて処理袋の口を閉めることにより、フレームと処理袋が容易にはずせるようにした。
【０００６】  請求項３は、ふん・尿（マーキング）処理袋内部に、尿の吸着シートを有することにより、尿の安定処理できるようにした。
【０００７】  請求項４は、締めひも（二重・クロス）（６ａ）と（６ｂ）を有し、（６ａ）はクリップ（２）に、はさむことによりふん・尿処理袋を安定取付でき、（６ｂ）を引くことにより、ふん・尿（マーキング）処理袋の口を容易に閉めることができるようにした。
【０００８】  請求項５は、グリップ（３）にリード用フック（１２）を有し、雨降り時や片手が離せない時などにリードを接続できるようにした。
【発明の効果】
【０００９】  本発明により、散歩時のふん・尿（マーキング）の処理が容易にできることにより、環境衛生及びモラルの向上に貢献できる。
【発明を実施するための最良の形態】
【００１０】  図１は、ふん・尿（マーキング）処理具のフレームの平面図である。【００１１】  図２は、ふん・尿（マーキング）処理具のフレームの側面図である。【００１２】  図３は、ふん・尿（マーキング）処理具のフレームと処理袋の図である。
袋取付フレーム（１）を処理袋（４）の差込スペース（５）に差込、処理袋のクリップ留め部（９）と締めひも（６ａ）をクリップ（２）にはさみ処理袋を外れないように安定させる。【００１３】  図２は、ふん・尿処理具の側面図である。締めひも（６ｂ）を締めひも固定フック（７）に固定する。散歩終了後フック開閉ノブ（１０）を引いてクリップ（２）を開にし、締めひも（６ｂ）を引いて処理袋の口を閉めフレームと処理袋を容易にはずすことができる。【００１４】  図４は、処理袋の図である。処理袋（４）は吸着シート（８）を内部に有し、尿を安定処理する。差込スペース（５）を有し、締めひも（６ａ）と（６ｂ）を二重・クロスにする。【００１５】  これからは、ふん公害だけでなく、尿（マーキング）公害も環境衛生上問題化しつつあります。そこで、この発明を実施することにより、容易にふん・尿（マーキング）処理ができれば、環境美化に貢献できる。
【産業上の利用可能性】
【００１６】  本発明に係るペット用散歩時のふん・尿（マーキング）処理具は、工業的に量産することが可能であるため産業上の利用可能性を有する。
【図面の簡単な説明】
【００１７】
【図１】  ふん・尿（マーキング）処理具のフレームの平面図である。
【図２】  ふん・尿（マーキング）処理具の側面図である。
【図３】  ふん・尿（マーキング）処理具のフレームと処理袋の図である。
【図４】  ふん・尿処理袋の図である。
【符号の説明】
【００１７】  １    袋取付フレーム
２    クリップ
３    グリップ
４    ふん・尿処理袋
５    差込スペース
６ａ  締めひも
６ｂ  締めひも
７    締めひも（６ｂ）固定用フック
８    吸着シート
９    クリップ留め部
１０    フック（２）開閉用ノブ
１１    フック（２）開閉用シャフト
１２    リード用フック
１３    スプリング
【図１】
2007244360.tif 000003
【図２】
2007244360.tif 000004
【図３】
2007244360.tif 000005
【図４】
2007244360.tif 000006
(57)【要約】【課題】家の床下や天井などの駆逐しにくい所に居付いたねずみ等を、薬品、ねずみ取り器を使用せずに、ねずみ等を駆逐する。【解決手段】当器を動物の気配の有る天井裏、床下、床上に置く事だけで電池の電気が切れるまで駆逐の効果が有る。【選択図】なし【特許請求の範囲】
【請求項１】
家に入りこんだ、ねずみ等を一定間隔の発する音により撃退する。
【発明の詳細な説明】
【発明の詳細な説明】
００１
当発明小動物撃退器の音源は時計の秒針などの音を利用して作り構造が単純で安価に作れ多くの人が利用しやすい。
００２
この発明は、家の床下や天井などの駆逐しにくい所に居付いたねずみ等を当器を設置する事により従来の方法より簡単にねずみ等を駆逐する。
００３
器具を設置しにくい床下で激しく木をかじる場所に置く必要は無く、かじる音がするフロアの真上に当器の音源発生室を上にして置くだけで設置しやすく効果がある。
００４
実験では、床下でガリガリと激しく木を噛む音の所をたたき脅すと止めるが、たたくのを止めると即噛む事を始める、当器を音がする真上に置くと即噛む行動を止める、設置していた半年間１度も噛む音は無く、鳴く声無く走るねずみの気配は無い、当器を外すと２日で噛む活動を始めたが再度設置すると即に行動を止め、その後３ヶ月ねずみの活動する気配は無い。
【発明の効果】
従来の駆逐と違い薬品の使用も無く安心、ねずみ取り器の嫌な事後処置も必要無く、専門家に依頼すより消耗は電池のみで安価、コストダウンに役立ち家の衛生面も安心の上、精神的にも静かに生活でき害が有る小動物が家に住み付いてる多くの人達が助かる。
【図面の簡単な説明】
【図１】  本発明の斜視図
【符号の説明】
「１」    本体
「２」    音源発生器室
【図１】
2007244359.tif 000002
(57)【要約】【課題】従来のヤキトリは主として竹製の串を利用していたが、これは危険、汚たない、そしてゴミとなるなど環境不良であった。【解決手段】串を竹製から食べられる棒状のものに替え、まるごと食べられるようにする。【選択図】図２
2007244368.tif 000002
【特許請求の範囲】
【請求項１】
鶏、豚、牛、肉片および野菜などの材料に孔をあけ、そこに食べることができる棒状の串を挿入してつくる串ごと食べられるヤキトリ。
【発明の詳細な説明】
【技術分野】
【０００１】この発明は鶏、豚、牛などの肉片および野菜などの材料に孔をあけ、食べられる棒状の串を挿入してすべてまるごと食べられるヤキトリに関するものである
【背景技術】
【０００２】従来、ヤキトリは主として竹製の串を肉片および野菜などに刺して作っている。
【発明の開示】
【発明が解決しようとする課題】
【０００３】次のような問題点があった。
（イ）竹の串は先端が鋭利で危険だ。肉が串から離れないときは、肉片を口にいれて、串を抜くが竹がささくれて危ない。
（ロ）竹の串なので、どうしても特に老人、子供には危険だ。
（ハ）竹の串は汚れたゴミになる。環境上もよくない。
（ニ）ヤキトリの材料にしても何のアイデアもないので楽しくない。
（ホ）従って殆んど家庭で食されない。
【課題を解決するための手段】
【０００４】串ごと食べられるヤキトリをつくる。
以上の構成からなるヤキトリをつくる。
【発明の効果】
【０００５】子供から老人まで安心して、「ヤキトリ」を楽しむことができる。
【発明を実施するための最良の形態】
【０００６】以下説明する。（イ）数個の肉片および野菜などに孔をあける。
（ロ）その肉片などに食することの出来る棒状の串を挿入する。
【実施例】
【０００７】以下説明する。（イ）ボイルした数個の肉片などに孔をあけ、グリコの「プリッツ」を挿入、電子レンジで９０秒焼くと出来上がる。
（ロ）プリッツは多少焦げるが破壊されない。
【産業上の利用可能性】
【０００８】以下説明する。（イ）ボイルした肉に孔をあけることは簡単にできる。
（ロ）食べられる棒状の串もプリッツの例のように簡単にできる。
数個の孔に挿入するときに、串と肉などを出来るだけ固定させるために、粘着させる工夫をすればよい。（例えば、味のついた片栗粉などを繋ぎに用いる、繋ぎの材料は他にもある）
（ハ）ヤキトリの形はなにもワンパターンでない方が楽しい。星型、ハート型、丸型、三日月型などさまざまな肉片の形により家族で楽しめるヤキトリを提供する。
（ニ）棒状の串も工夫すればよい。食べられるので、バラエテイに飛んだ味にすればよい。子供向き、老人向き、病人向きなどいくらでも考えられる。
（ホ）消費拡大のためには上述のごとく、幼児から老人まで、安全、安心、安直、安価にする。ファミリーレストラン（スーパーも同じ）では「お子様ヤキトリランチ」が好評を博すであろう。
（ヘ）肉片のみならず、プリッツあるいはポッキー状の串も長短あるいは形体の工夫が出来る。
（ト）また、一人暮らしの老人、入院患者、要介護者向けのヤキトリも可能である。
このアイデアは日本否世界の市場で「ヤキトリ革命」「食卓革命」となろう。団塊の世代以上にはヤキトリに郷愁を、若い世代は遊び心を誘う製品が期待される。
【図面の簡単な説明】
【０００９】
【図１】肉片、野菜などヤキトリの材料に孔を空ける
【図２】食べられる棒状の串
【図３】串で肉片などの孔に挿入する
【符号の説明】
【０００１０】１は孔をあけたヤキトリの肉片、野菜などの材料
２は食べられる棒状の串
３は串ごと食べられるヤキト
【図１】
2007244368.tif 000003
【図２】
2007244368.tif 000004
【図３】
2007244368.tif 000005
(57)【要約】【課題】  従来の猫用トイレ処理方法では、始末の際に埃が舞うことにより不衛生になりがちなことと、時間や手間がかかるという問題があった。これらの問題は猫砂に埋もれた糞などを猫砂から探して取り除くために猫砂をあさらなくてはならず、そうすることによって砂が舞い、時間がかかるのである。【解決手段】      本発明では上へと引き上げるだけのメッシュ状ネットを考案したこの装置を用いることにより、使用者にとって始末を簡潔にし、埃の舞い上がるのを防ぐことができる。【選択図】図３
2007244366.tif 000002
【特許請求の範囲】
【請求項１】
猫砂の底へ敷いておけるメッシュ状のネットで、猫のトイレにおける始末の際にこのネットを上に持ち上げるだけで、糞便のみがネット内へ取り除かれるフィルター式の装置である。ネットは数枚重ねておくことができる。
【発明の詳細な説明】
【技術分野】
【０００１】  本発明は、猫を飼育する一般家庭において、糞便の始末を容易にするためのものであり、砂を入れて使うタイプの猫用トイレに取り付けられるフィルター式装置に関する。
【背景技術】
【０００２】  従来の猫用糞便除去には主にスコップを用いたものがある（例えば、特許文献１参照）。
【特許文献１】特許公開２００４−２４２６５６
【発明の開示】
【発明が解決しようとする課題】
【０００３】  以上に述べた、従来の猫用トイレにおける糞使処理装置においては、スコップで猫砂をあさることにより埃が舞う上に、時間もかかるという問題点がある。【０００４】  本発明はこのような従来の構成が有していた問題を解決しようとするものであり、埃を舞うことなく短い時間で簡単に糞などの処理ができることを目的としている。
【課題を解決するための手段】
【０００５】  猫用トイレの底に、このメッシュ状のネットを底から側面にかけて敷いておく。その上から猫砂をのせておく。猫の糞などの始末をするときには、このネットを上へ持ち上げるだけで、糞便のみがネットの上に乗っかるので、そのままゴミとして捨てるだけとなり、汚れていないきれいな砂だけが猫用トイレ内に残るようになっている。
【発明の効果】
【０００６】  本発明では始末の際に砂を掻きあさることをしなくてもよいため、埃がほとんど舞うことなく、清潔にかつ簡単に猫の糞などを始末することができる。【０００７】  また、ネットを束ねて持ち上げたときに引っかかった糞などと共にそのままゴミ箱へとまるごと捨てるだけなので始末にかかる時間も短縮できる。
【発明を実施するための最良の形態】
【０００８】  以下、本発明の実施の形態を図１〜４に基づいて説明する。【０００９】  図においては、浅めの袋の形状をした柔らかくて伸縮注のあるメッシュ状のネットであり、猫用トイレ本体３の大きさに合わせて底から側面にわたり敷いておく。格子状の細かい線はメッシュ状のネットであることを示している。１は底に、２は側面に合わさるようになっている。３は一般的な猫用トイレ本体の断面で、本発明とは関係ないものであるが、本発明は３に取り付けて使うものなので図に示した。４は一般的な猫用トイレで使用する猫砂であり、これも本発明とは関係ないものであるが、本発明は４と併用して使うものなので、図に示した。【００１０】  以下、上記構成の動作を説明する。一般的な猫用トイレにおいて１が底になるように，２ａ−２ｄ側面になるように合わせてネットを敷く。その上から猫砂を置いておく。始末の際に、２ａ−２ｄを束ねて持ち上げる。【００１１】  メッシュ状のネットは柔らかい素材であっても丈夫であること、かつ、糞などと分別する必要がなく、環境への配慮が充分にされた素材であることが望ましい。
【図面の簡単な説明】
【００１２】
【図１】本発明の実施形態を示す袋状のネット装置で開口部を上として真上から見た図であり、奥行きのある様子を示した
【図２】このネット装置を一般的な猫用トイレに取り付けた状態で真横から見たＡ−Ａ線断面図
【図３】Ａ−Ａ線断面から見たネット装置の使用の過程で、糞などが取り除かれた状態を表している。
【図４】処分する際の状態
【符号の説明】
【００１３】１          ネット本体の下になる部分で、猫用トイレの底に合わさる。
２ａ−２ｄ  ネット本体の側面に当る部分で、猫用トイレの側面に合わさる。
３          猫用トイレ本体
４          猫砂
５          糞便などの汚物
６          使用者などの手
【図１】
2007244366.tif 000003
【図２】
2007244366.tif 000004
【図３】
2007244366.tif 000005
【図４】
2007244366.tif 000006
(57)【要約】      （修正有）【課題】カルシウム、キトサン、ミネラルを含むエビ、カニ等の甲殻類を、そのままの姿でおいしく摂取できる食品の提供。【解決手段】甲殻類を丸ごと湯がいて灰汁を取り、外殻中に空洞ができるまで乾燥させる。外殻をはずして煎餅生地を充填した後、元の姿に組み合せて焼成または油揚げして姿煎餅とする。【選択図】なし【特許請求の範囲】
【請求項１】
2007244369.tif 000008
製造方法
【発明の詳細な説明】
〔発明の詳細な説明〕
【０００１】〔産業上の利用分野〕
2007244369.tif 000002
製造に関するものである。
【０００２】〔従来の技術〕
無い
【発明が解決しようとする課題】
【０００３】本発明はカルシューム  キトサン、ミネラルを自然形でおいしく摂取出来て又形も美くしい食品の開発に努力した〕
【０００４】〔課題を解決する為の手段〕
2007244369.tif 000003
【０００５】〔作用〕
2007244369.tif 000004
丸ごと食する事で無駄なくミネラル等を摂取できる
2007244369.tif 000005
【実施例】
【０００６】甲殻類を丸ごと湯がいて、あくを取り乾燥機で中に空洞が
2007244369.tif 000006
材料を入れ足の空洞に穴を開け圧力かけて材料を込れ、本の姿にして
2007244369.tif 000007
【０００７】〔発明の対果〕
以上の例において美くしく風味の良い、ミネラル豊富な長期保存の出来る食品が生れる。
(57)【要約】【課題】  マツ枯れ病などの有害寄生虫の防除と、宿主植物の成育を管理して、花粉症などの発生を軽減すること。【解決手段】  宿主植物に影響が少なく、寄生病原体に作用するヤドリギなど寄生植物を、宿主植物の必要箇所に設置すること。【特許請求の範囲】
【請求項１】
宿主植物の地上部葉面積の１００分の１、または枝部分重量の５０分の１以下の形態を有するヤドリギなど寄生植物を、宿主植物の患部周辺又は必要箇所に設置して、宿主植物の発育を規制する、寄生植物を利用する宿主植物の管理方法。
【発明の詳細な説明】
【技術分野】
【０００１】  本発明は農業、林業に関するものである。
【背景技術】
【０００２】  周知の様に、松、楢、ブナ、モミ、ヒノキなどの立ち枯れが著しく、その原因としてゾウムシ、カミキリムシ、キクイムシなどのマツクイムシなど寄生虫、大気汚染、土壌など多くの原因が指摘されている。
また、花粉症の様に植林計画の予測錯誤による被害もあり、その対策が切望されている。【０００３】  マツクイムシなどの寄生虫対策としては、特許第３５６０９０２号「植物の病害防除方法及び装置」の様に、化学薬剤による処理が行なわれているが、安全性、処理工程、価格など問題が多い。
【発明の開示】
【発明が解決しようとする課題】
【０００４】  化学薬剤を用いない、新しい植物成育方法の開発。
【課題を解決するための手段】
【０００５】  主体である宿主植物の健全な発育のために、その成育を寄生植物で制御する方法で解消する、寄生天敵の利用。
【発明の効果】
【０００６】  本発明は、宿主植物に対して従来有害とされた寄生植物を利用して、より以上有害であるマツクイムシなどの寄生虫の防除、花粉症の原因である過剰な発育などを制御する効果がある。
【発明を実施するための最良の形態】
【０００７】  以下、本発明の形態を実施例で説明する。実施例で引用する寄生植物は、マツグミなどヤドリギ科植物は秦野市、相模原市などの神奈川県で採取したもの、宿主植物は都内園芸店で購入、または公園などで実施したものである。
【実施例１】  アカマツ（Ｐｉｎｕｓ  ｄｅｎｓｉｆｌｏｒａ  Ｓｉｅｂ  ｅｔ  Ｚｕｃｃ）の先端、地上約１０ｍの枝部にカイガラムシの寄生があり、繁殖、拡大の懸念が生じた。この防除のために寄生植物であるヤドリギ科マツグミ（Ｔａｘｉｌｌｕｓ  ｋａｅｍｐｆｅｒｉ）をカイガラムシ繁殖部分の周辺に移植して経過を観察したところ、３０日後にはカイガラムシは消滅した。
本例は移植方式であるが、寄生植物であるマツグミ、オオバヤドリギ、アカミヤドリギなどの種子を宿主植物に付着させ、自然に発芽生育させても同一の効果がえられる。
一般的学説では、マツグミなどのヤドリギ属（Ｖｉｓｃｕｍ  Ｌｉｎｎ）は宿主植物に有害なので排除すべきだ、との意見が主流であるが、マツグミなどの寄生植物は、宿主植物との量的関係が問題であり、マツクイムシなどの有害動物に対しては、むしろマツを保護する効果も認められる。「敵の敵は味方」と言う諺」があるが、本発明はその一例である。
なお、マツ枯れ病の原因は多様であり、各植物の病原抵抗性が異なりマツクイムシなどに対し使用するヤドリギの量的指示は難しい。
宿主植物の健全な生育が可能で、寄生害虫の制圧が出来るヤドリギの付着、生育手段は各状況に対応して判断するが、概略の表現では宿主植物の葉面積の１００分の１、枝重量では５０分の１以下であれば宿主植物に影響は無い様である。病原菌、寄生植物の寄生性分化、品種とレースの関係には多数の研究があるが、本件についても宿主植物と寄生植物の量的関係を上記の様に指定する。なお、スギ（Ｃｒｕｐｔｏｍｅｒｉａ  ｊａｐｏｎｉｃａ  Ｄ  Ｄｏｎ）は樹皮が厚く、寄生植物は少なくマツグミなどヤドリギ科植物は品種、レースからみて寄生不能と考えられていたが、小規模の生育実験では寄生出来る。この成果は花粉症防除に役立つと推定される。【０００８】  本出願明細書に記載する葉面積については国土交通省国土技術政策総合研究所の大橋征幹氏、飛鳥建設（株）の神山健二氏等が具体的算定を述べており、枝重量についても林業関係報告にみられるので、宿主植物全体との対比である。またスギ以外のヒノキなどにはヤドリギは寄生可能で、有力な花粉症対策として期待が出来る。
(57)【要約】【課題】従来は、毛をとかすだけの目的の櫛であったため、抜け毛を取り除く効果は、あまりなかったが、櫛に伸縮性素材などを取り付け抜け毛を取り除く櫛を提供する。【解決手段】櫛本体と歯と歯の間に伸縮性素材を交互に編み込むことが出来るこの隙間に、抜け毛、フケ、ノミなどが入り、取り除くことが出来るようにする。【選択図】図１
2007244367.tif 000002
【特許請求の範囲】
【請求項１】
櫛本体根元の歯の下に伸縮性素材などを接着すること。
【請求項２】
櫛本体根元の歯と歯の間に他物質を編み込むこと。（図３参照）
【請求項３】
伸縮性素材の編み方は、歯と歯の間を１本から５本飛ばしで交互に編むこと。
【請求項４】
伸縮性素材の幅は、７ｍｍ以下であること。
【請求項５】
櫛本体根元の歯の下の回りに、伸縮性素材をつけること（図５参照）
【発明の詳細な説明】
【技術分野】
【０００１】この発明は、ペットの抜け毛を取り除くことを解決するために用いる犬の櫛に関するものである。
【背景技術】
【０００２】従来は、犬の櫛に他物質を取り付けている櫛は、なかった。
そして、一本櫛しかなかった。
【発明の開示】
【発明が解決しようとする課題】
【０００３】従来は、毛を取り除く効果は、あまりなかったが本発明は、以上のような欠点を無くすためになされたものである。
【課題を解決するための手段】
【０００４】以上の課題を解決するために、請求項１の発明は、櫛本体根元の歯と歯の間に、伸縮性のある素材を編み込んだ事で（図３参照）その他、櫛本体根元の歯の回りに伸縮性素材をつける事で（図５参照）すり抜けていた毛が、この隙間にくいこむ。
【発明の実地形態】
【０００５】この発明の実地形態を、図１に示す。櫛本体は、木、プラスチック、スチールなどであり、伸縮性のある素材、ゴム、ナイロン、塩化ビニールなどを櫛本体根元の歯と歯の間にこれらを交互に編み込む。
【実地形態の効果】
【０００６】この実地形態によれば、櫛本体根元の歯と歯の間に伸縮性素材を編み込み、接着させることで、この隙間に抜け毛が、大量に食い込み、その上、フケ、ノミ、ホコリなども取り除くことが出来た。
【発明の効果】
【０００７】この発明により、テストした結果、ウェルシュコーギー、シベリアンハスキーラブラドールレトリーバー、ダルメシアン、ピーグル、セントバーナード、シェパード、ミニチュアダックスフンド、プードル、パグ、チワワ、フレンチブルドック、バーニーズ、柴犬など短毛種犬などに抜け毛、のほか、フケやノミホコリなどが大量に取り除くことが出来た。また、伸縮性素材がクッションとなってブラシッング自体が皮膚の血行を促すマッサージ効果もあった。
【図面の簡単な説明】
【０００８】
【図１】本発明の正面図ある。
【図２】本発明の真上から見た図である。
【図３】本発明の正面拡大図である。
【図４】本発明の真上拡大図である。
【図５】本発明の別様式の真上から見た図である。
【符号の説明】
【０００９】１  櫛本体
２  ゴムなど伸縮性素材
３  櫛本体根元の歯の根元
【図１】
2007244367.tif 000003
【図２】
2007244367.tif 000004
【図３】
2007244367.tif 000005
【図４】
2007244367.tif 000006
【図５】
2007244367.tif 000007
(57)【要約】      （修正有）【課題】  賃貸人の利益の長期的安定化図ること。賃借人には賃貸物件の選択を容易すること。【解決手段】  一つ又は、複数の物件を管理し、インターネットを利用し賃貸物件と賃借人の募集を行い、賃貸人には、予め算出された一定の比率により自身の賃貸物件が稼動していない時にも安定的に利益が分配される。賃借希望者にはインターネット上の管理者のサーバーに希望条件を登録しておく事により条件に合う物件情報が自動配信又は手動配信される。又は配信されない。事前に賃貸人の提示する条件に合う賃貸希望者には家賃を一定の割合で安くし入居を促す等のサービスも含めることができる。【選択図】  図１
2007164222.tif 000002
【特許請求の範囲】
【請求項１】
貸物件物件をインターネットを利用して募集する。物件情報をインターネット上で公開する。
【請求項２】
賃貸物件の賃借希望者をインターネット上で募集し希望条件をデータベースに登録し希望条件に合う物件の情報を賃借希望者に自動又は手動で配信する。
【請求項３】
一つ又は複数の賃貸物件を管理、運用し、個々の条件や運用状況等の情報の一部又は全部を基に、一定の数値を求め、その数値を基に現在稼動している物件からの収入から必要費、管理手数料等諸費用を引くか、又は引かずに、利益を賃貸人に分配する。
【発明の詳細な説明】
【技術分野】
【０００１】  本発明は賃貸人の利益の長期的安定化と、賃貸人、賃借人双方の利益の向上に関する。
【背景技術】
【０００２】  不動産賃貸物件の賃料等の管理、募集業務等のサービス、インターネット上で物件情報を公開するサービス、又は、一括借り上げをして、所有者の利益の安定化を図るサービスがある。
【発明の開示】
【発明が解決しようとする課題】
【０００３】  従来の賃貸物件は、稼働しているときは賃料等の利益が出るが、稼働していない時は利益が出ないためその運用は非常に不安定であった、又、不動産賃貸物件の一括借り上げのサービスは借り上げ業者で建物の建築やリフォームをしなければならないなどの条件を付けなければ難しかった。賃借人側は物件を探す際、インターネット上で探すことが出来ても詳細を知るためには、管理業者に連絡をして情報を取り寄せる必要があった。
【課題を解決するための手段】
【００４】  インターネット、又はその他の媒体を利用し賃貸物件を募集し、個々の条件や過去の稼働率等の運用状況から一定の数値を割り出し、その数値を基に、実際その物件が稼動していないときにも、他の物件が稼動していれば利益を分配する事により、安定的な利益を得ることが出来る。
【発明の効果】
【００５】  上述の様に、不動産所有者に安定的な利益をもたらす。
【発明を実施するための最良の形態】
【００６】  以下、本発明の実施の形態を図１〜図３に基ついて説明する。【００７】  図１は、主に請求項１の説明、管理人はインターネット上で賃貸物件を募集する。インターネット上で賃貸物件情報を公開する。【００８】  図２は、主に請求項２の説明、管理人はインターネット上で賃借希望者（以下Ａ）を募集する、Ａは賃貸物件の希望条件、本人の情報のどちらか一方又は両方、又はその他必要な情報があればその情報も含め、インターネットを通じて管理人のサーバに登録する。管理人はＡの希望条件に合う物件の情報をＡにメール等で自動又は手動又はその両方で知らせる。又、必要に応じＡ本人の情報を基にＡを選別し知らせる物件を選択して知らせる、又は知らせない。【００９】  図３は、主に請求項３の説明、本発明の一例として、其々物件Ａ，Ｂ，Ｃ，Ｄ，が存在する場合Ａ，Ｃ，Ｄ，は其々１０万円の賃料収入で稼動していて、Ｂ，は稼動はしていないが、稼動時は１０万円の賃料が見込める場合、又、Ａ，Ｂ，Ｃ，Ｄ，の其々の過去における稼働率又、今後の推定稼働率が７５％の場合
（１０万円×４×０．７５％）÷４＝７．５万円、一方、現賃料合計  ３０万円÷４＝７．５万円の計算式により各賃貸人に安定的に７．５万円（諸費用を引いた場合その残額を）を分配することが出来る。しかし、計算式の各数値それぞれの現賃料、推定賃料、過去の稼働率、推定稼働率、分配率は状況の変化により変動する。又、管理契約当初、稼動している物件には当初より利益分配することが可能だが、未稼動の物件は管理契約後初稼動してからの利益分配にする、又は、最低保証額を決めて分配して、稼動している物件の分配額とは差をつける等の条件を含むこともできる。
【図面の簡単な説明】
【図１】インターネットで賃貸物件を募集情報を公開。
【図２】インターネットで賃借人を募集サーバに情報を登録。
【図３】一括管理され利益分配される賃貸物件Ａ，Ｂ，Ｃ，Ｄ。
【図１】
2007164222.tif 000003
【図２】
2007164222.tif 000004
【図３】
2007164222.tif 000005
(57)【要約】      （修正有）【課題】求人企業の採用において人材紹介を使用する際の求人企業の人事担当者ならびに人材紹介会社にかかる多大な業務負担、およびそれに起因する求職者の雇用機会の損失という不都合を解決する。【解決手段】求人企業と人材紹介会社がインターネットを介して、人材紹介会社への求人情報の公開・検索・閲覧、具体的な人材の推薦・選考まで行うことを可能にする。【選択図】図１
2007164745.tif 000002
【特許請求の範囲】
【請求項１】
インターネットを介して求人企業が、人材紹介会社への求人情報の公開ができることを特徴とするシステム。
【請求項２】
インターネットを介して求人企業が、人材紹介会社から推薦された人材の選考を行うことができることを特徴とするシステム。
【請求項３】
インターネットを介して求人企業が、複数の人材紹介会社から推薦された人材の管理を行うことができることを特徴とするシステム。
【請求項４】
インターネットを介して人材紹介会社が、求人企業が掲載している求人情報を検索・閲覧できることを特徴とするシステム。
【請求項５】
インターネットを介して人材紹介会社が、求人企業が公開している求人情報に、人材の推薦を行うことができることを特徴とするシステム。
【請求項６】
インターネットを介して人材紹介会社が、求人情報に推薦した人材の選考状況の管理を行うことができることを特徴とするシステム。
【発明の詳細な説明】
【技術分野】
【０００１】本発明は情報処理技術に関するものであり、人材紹介ビジネスにおいて求人企業と人材紹介会社が抱える課題を解決するものである。
【背景技術】
【０００２】従来の求人企業と人材紹介会社を結ぶ情報処理システムでは、求人企業が人材紹介会社を検索することができるものがある。（特許文献、非特許文献なし）
【発明の開示】
【発明が解決しようとする課題】
【０００３】求人企業の人事担当者は、個々の人材紹介会社と個別にやり取りをせねばならず、多大な手間がかかることにより業務負担が大きい。また人材紹介会社でも、求職者のための求人企業の新規開拓に非常にコストと労力がかかり、多大な負担を強いられている。このような多大な業務負担、およびそれに起因する求職者の雇用機会の損失という不都合を解決することを課題とする。
【課題を解決するための手段】
【０００４】この課題を解決するための請求項１の発明は、求人企業と人材紹介会社がインターネットを介して、人材紹介会社への求人情報の公開・検索・閲覧、具体的な人材の推薦・選考まで行うことを可能にすることにより、課題の解決を実現するものである。
【発明の効果】
【０００５】本発明により、求人企業の人事担当者や、人材紹介会社に多大な負担がかかっている不都合を解決し、業務効率を向上することができる。また、その他にも情報不足による求人情報と人材のミスマッチの低減、遠隔地での採用への対応も可能なため、さらなる採用効率の向上が図れるものである。
【発明を実施するための最良の形態】
【０００６】応募者を一覧で閲覧することができる。
応募者の経歴の詳細を確認することができる。（応募者を推薦した人材紹介会社の詳細も確認することができる）
推薦された人材の詳細について人材紹介会社に問い合わせをすることができる。
応募者の書類選考を行うことができる。
書類審査合格の際は、人材紹介会社に正式に紹介を依頼できる。
書類審査不合格の際は、人材紹介会社にその旨通知することができる。【０００７】人材紹介会社に開示する求人情報の詳細を編集することができる。【０００８】求人企業の会社情報の詳細を編集することができる。【０００９】求人企業が掲載している求人情報を検索し詳細を閲覧することができる。
求人情報に合致した候補者が存在する場合には当該求人案件に候補者を推薦することができる。【００１０】候補者の履歴、職務経歴のデータを入力し、データベースとして蓄積することができる。
蓄積された候補者のデータを検索することができる。
候補者に対して合致した求人情報を、マッチング機能を用いて表示させることができる。【００１１】求人企業に推薦済みの候補者の一覧を表示することができる。
候補者別に応募企業、部署等の詳細、また選考状況を表示することができる。【００１２】人材紹介会社の会社情報の詳細を編集することができる。
【産業上の利用可能性】
【００１３】本発明に係る情報処理システムは産業上の利用可能性を有する。
【図面の簡単な説明】
【００１４】
【図１】求人企業と人材紹介会社を結ぶ情報処理システムの概念図である。
【図１】
2007164745.tif 000003